(57)【要約】【課題】  幼児や子供が興味をもって楽しく遊ぶことのできるリズム玩具を提供する。【解決手段】  発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成した該発光リングチューブを、タンバリン、マラカス、ドラム等に固定し、且つ、バッテリー、発音部、振動感知スイッチをリズム玩具内に収納し、該振動感知スイッチが手動でも操作できるように構成したリズム玩具を提供する。【選択図】図１
0003123274.tif 000002
【実用新案登録請求の範囲】
【請求項１】
リング状に形成された発光リングチューブ内に、複数色の発光ＬＥＤを収納し、該発光リングチューブを一体的に固定したタンバリン本体の任意個所に、バッテリー、発音部、振動感知スイッチが収納され、該振動感知スイッチは手動でも操作できるように構成されていることを特徴とするリズム玩具。
【請求項２】
リング状に形成された発光リングチューブ内に、複数色の発光ＬＥＤを収納し、該発光リングチューブを一体的に固定したマラカス本体の任意個所に、バッテリー、発音部、振動感知スイッチが収納され、該振動感知スイッチは手動でも操作できるように構成されていることを特徴とするリズム玩具。
【請求項３】
リング状に形成された発光リングチューブ内に、複数色の発光ＬＥＤを収納し、該発光リングチューブの任意個所に、バッテリー、振動感知スイッチが収納され、該振動感知スイッチは手動でも操作できるように構成され、発光リングチューブを一体的に固定したドラム本体の任意個所に発音部を収納したことを特徴とするリズム玩具。
【請求項４】
発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成したことを特徴とする請求項１乃至３記載のリズム玩具。
【考案の詳細な説明】
【技術分野】
【０００１】  本考案は幼児や子供が興味をもって楽しく遊ぶことのできるリズム玩具に関し、特に発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成した該発光リングチューブを、タンバリン、マラカス、ドラム等に固定し、且つ、バッテリー、発音部、振動感知スイッチをリズム玩具内に収納し、該振動感知スイッチが手動でも操作できるように構成したリズム玩具を提供する。
【背景技術】
【０００２】  胴体に複数の貫通孔を設けて発光体を取り付けるモンキータンバリンが知られている。【０００３】  また、マラカス本体を光透過性材質で構成したおもちゃのマラカスが知られている。【０００４】
【実用新案文献１】
実開昭６０−２８７９６号公報
【実用新案文献１】
実用新案登録第３１０４２３８号公報
【考案の開示】
【考案が解決しようとする課題】
【０００５】  発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成した該発光リングチューブを、タンバリン、マラカス、ドラム等に固定し、且つ、バッテリー、発音部、振動感知スイッチをリズム玩具内に収納し、該振動感知スイッチが手動でも操作できるように構成したリズム玩具を提供するものである。【０００６】  本考案はこのような課題を解決するために創案されたリズム玩具であって、発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成した該発光リングチューブを、タンバリン、マラカス、ドラム等に固定し、且つ、バッテリー、発音部、振動感知スイッチをリズム玩具内に収納し、該振動感知スイッチが手動でも操作できるように構成したリズム玩具であり、幼児や子供が興味をもって楽しく遊ぶことのできるリズム玩具を提供する。
【課題を解決するための手段】
【０００７】  本考案のリズム玩具は、リング状に形成された発光リングチューブ内に、複数色の発光ＬＥＤを収納し、該発光リングチューブを一体的に固定したタンバリン本体の任意個所に、バッテリー、発音部、振動感知スイッチが収納され、該振動感知スイッチは手動でも操作できるように構成されていることを特徴とし、リング状に形成された発光リングチューブ内に、複数色の発光ＬＥＤを収納し、該発光リングチューブを一体的に固定したマラカス本体の任意個所に、バッテリー、発音部、振動感知スイッチが収納され、該振動感知スイッチは手動でも操作できるように構成されていることを特徴とし、リング状に形成された発光リングチューブ内に、複数色の発光ＬＥＤを収納し、該発光リングチューブの任意個所に、バッテリー、振動感知スイッチが収納され、該振動感知スイッチは手動でも操作できるように構成され、発光リングチューブを一体的に固定したドラム本体の任意個所に発音部を収納したことを特徴とし、且つ、発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成したことを特徴とするタンバリン、マラカス、ドラム等からなるリズム玩具である。
【考案の効果】
【０００８】
【０００９】  本考案に係るリズム玩具は、タンバリン、マラカス、ドラム等、発光リングチューブを固定し、筒状に形成された透明乃至半透明のプラスチックからなる発光リングチューブの内側の任意個所に複数の凹状部が形成されており、発光ＬＥＤの光線が該凹状部にて屈折されて外方に向けて放射されるように構成し、且つ、発音部を具備しているので、幼児や子供が興味をもって楽しく遊ぶことのできるリズム玩具である。
【考案を実施するための最良の形態】
【００１０】  以下、図面に基づき本考案を実施するための最良の形態について説明する。
図面において、図１は本考案に係るリズム玩具のタンバリンの斜視図である。図２は本考案に係るリズム玩具のマラカスの斜視図である。図３は本考案に係るリズム玩具のドラムの斜視図である。図４は発光リングチューブの部分断面図である。【００１１】    請求項１に示すように、リング状に形成された発光リングチューブ１内に、複数色の発光ＬＥＤ２を収納し、該発光リングチューブ１を一体的に固定したタンバリン本体Ｔの任意個所に、バッテリー３、発音部（図示せず。）、振動感知スイッチ４が収納され、該振動感知スイッチ４は手動でも操作できるように構成されている。【００１２】  請求項２に示すように、リング状に形成された発光リングチューブ１内に、複数色の発光ＬＥＤ２を収納し、該発光リングチューブ１を一体的に固定したマラカス本体Ｍの任意個所に、バッテリー３、発音部５、振動感知スイッチ４が収納され、該振動感知スイッチ４は手動でも操作できるように構成されている。【００１３】  請求項３に示すように、リング状に形成された発光リングチューブ１内に、複数色の発光ＬＥＤ２を収納し、該発光リングチューブ１の任意個所に、バッテリー３、振動感知スイッチ４が収納され、該振動感知スイッチ４は手動でも操作できるように構成され、発光リングチューブ１を一体的に固定したドラム本体Ｄの任意個所に発音部５を収納した構造になっている。【００１４】  請求項４に示すように、発光リングチューブ１は筒状に形成された透明乃至半透明のプラスチックからなり、内側の任意個所に複数の凹状部１１が形成されており、発光ＬＥＤ２の光線２１が該凹状部１１にて屈折されて図４中の矢印で示すように外方に向けて放射されるように構成されている。【００１５】  なお、本考案は上述した実施の形態で説明した構造には限定されず、各部の形状、構造等を適宜変形、変更し得ることはいうまでもない。
【図面の簡単な説明】
【００１６】
【図１】  本考案に係るリズム玩具のタンバリンの斜視図である。
【図２】  本考案に係るリズム玩具のマラカスの斜視図である。
【図３】  本考案に係るリズム玩具のドラムの斜視図である。
【図４】  発光リングチューブの部分断面図である。
【符号の説明】
【００１７】Ｔ．  タンバリン
Ｍ．  マラカス
Ｄ．  ドラム
１．発光リングチューブ
１１．凹状部
２．発光ＬＥＤ
２１．光線
３．バッテリー
４．振動感知スイッチ
５．発音部
【図１】
0003123274.tif 000003
【図２】
0003123274.tif 000004
【図３】
0003123274.tif 000005
【図４】
0003123274.tif 000006
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
リング状に形成された発光リングチューブ内に、複数色の発光ＬＥＤを収納し、該発光リングチューブを一体的に固定したタンバリン本体の任意個所に、バッテリー、発音部、振動感知スイッチが収納され、該振動感知スイッチは手動でも操作できるように構成されていることを特徴とするリズム玩具。
【請求項２】
リング状に形成された発光リングチューブ内に、複数色の発光ＬＥＤを収納し、該発光リングチューブを一体的に固定したマラカス本体の任意個所に、バッテリー、発音部、振動感知スイッチが収納され、該振動感知スイッチは手動でも操作できるように構成されていることを特徴とする請求項１記載のリズム玩具。
【請求項３】
リング状に形成された発光リングチューブ内に、複数色の発光ＬＥＤを収納し、該発光リングチューブの任意個所に、バッテリー、振動感知スイッチが収納され、該振動感知スイッチは手動でも操作できるように構成され、発光リングチューブを一体的に固定したドラム本体の任意個所に発音部を収納したことを特徴とする請求項１記載のリズム玩具。
【請求項４】
発光リングチューブは筒状に形成された透明乃至半透明のプラスチックからなり、内側の任意個所に複数の凹状部が形成されており、発光ＬＥＤの光線が該凹状部にて屈折されて外方に向けて放射されるように構成したことを特徴とする請求項１記載のリズム玩具。